(57)【要約】【課題】遊技盤や遊技盤及び回動扉を支持する支持部材のメンテナンスなどの作業を行う際に、作業を安全かつ効率良く行うことができるようにし、さらに、支持部材をコンパクトにして、コストの低減及び本体基部の強度の向上を図る。【解決手段】支持部材３０は支持部３２と回動防止部３３とからなり、遊技盤１３の側面に沿うように形成されている。支持部３２には、第１上部軸受け３８、第１下部軸受け３９が設けられている。遊技盤１３には第１上部軸４１、第１下部軸４２が設けられている。第１上部軸４１を第１上部軸受け３８に、第１下部軸４２を第１下部軸受け３９に挿入する。これにより遊技盤１３が支持部材３０に着脱自在で、且つ回動自在に取り付けられる。【選択図】図４
2008212756.tif 000002
【特許請求の範囲】
【請求項１】
遊技球が打ち出される遊技領域を有する略矩形状に形成された遊技盤と、
前記遊技盤を支持する支持部材と、
前記遊技盤が取り付けられる遊技盤取り付け部を有する本体基部とを備えた弾球遊技機であって、
前記支持部材を前記遊技盤の一側部に沿って形成するとともに、前記一側部に配置し、
前記支持部材及び前記一側部のいずれか一方に第１軸を、他方に前記第１軸を挿脱自在で、且つ回動自在に保持する第１軸受けを設け、
前記本体基部及び前記支持部材のいずれか一方に第２軸を、他方に前記第２軸を挿脱自在で、且つ回動自在に保持する第２軸受けを設け、
前記遊技盤取り付け部に対して、前記遊技盤を前記遊技盤取り付け部に着脱自在に固定する遊技盤固定手段を設けたことを特徴とする弾球遊技機。
【請求項２】
前記支持部材は、
前記第１軸を中心として、前記遊技盤を回動自在に軸支する支持部と、
前記支持部に軸支された遊技盤が、前記本体基部側に回動することを防止する回動防止部とから構成されることを特徴とする請求項１記載の弾球遊技機。
【発明の詳細な説明】
【技術分野】
【０００１】
本発明は、パチンコ店等の遊技場に設置して使用されるパチンコ機等の弾球遊技機に関するものである。
【背景技術】
【０００２】
本明細書中では、遊技球としてパチンコ球、また、遊技盤面に設けられた入賞口にパチンコ球が入ることを入賞とする。
【０００３】
弾球遊技機の一つであるパチンコ機は、パチンコ球を打ち出すことが可能な範囲を区画する遊技領域を有する略矩形状に形成された遊技盤が本体基部に着脱自在に取り付けられ、さらに、本体基部が外枠に着脱自在に取り付けられている。また、遊技領域を透視可能にする窓部を有する回動扉が回動自在に取り付けられている。本体基部又は遊技盤には、遊技の際に作動される駆動装置の作動を制御する作動制御装置やパチンコ球の球通路などが取り付けられている。遊技の際には、遊技者が操作ハンドルを操作すると、操作ハンドルの操作量に応じて本体基部に設けられているパチンコ球発射装置からパチンコ球が遊技領域に打ち出される。設置されているパチンコ機を遊技性の異なるパチンコ機へ交換する場合には、新たな機種のパチンコ機と設置されているパチンコ機とを一括して交換するか、又は本体基部を据え置きとして遊技盤と遊技盤に取り付けられている部品のみを交換する。
【０００４】
ところで、パチンコ機は機種に関わらず多くの共通部品が使用されているが、本体基部などを交換してしまうと、共通部品も同時に交換することになって共通部品をリユースできなくなり、機種交換に伴うコストが高くなってしまう。また、遊技盤のみを交換した場合、パチンコ機の外観のデザインに変化がないため、外観から新たな機種のイメージが遊技者に伝わりにくい。さらに、遊技盤のデザインと外観のデザインに統一感がなくなる。
【０００５】
このため、本体基部に、遊技盤及び回動扉を支持可能な支持部材を着脱自在に取り付け、機種交換の際に遊技盤及び窓部とともに支持部材を交換可能とすることによって、本体基部を据え置きとした際に共通部品のリユースを可能にしながら、パチンコ機の外観のイメージに変化を加えることが検討されている。
【発明の開示】
【発明が解決しようとする課題】
【０００６】
しかしながら、例えば遊技盤や支持部材のメンテナンスなどの作業を行う際には支持部材を本体基部から取り外す必要があるが、支持部材には、遊技盤、回動扉、作動制御装置、球通路などの重量が加わるため、作業者一人で支持部材の本体基部からの取り外し、支持部材の本体基部への取り付け、支持部材の持ち運びなどの作業を行うと、作業者への負担が大きくなり、その重量も重くなるため、支持部材を落下させてしまう虞がある。このことが支持部材や遊技盤や窓部などの破損の原因や作業者の怪我の原因、作業の効率が低下する原因となることが考えられる。
【０００７】
また、遊技盤を支持部材に取り付ける場合、支持部材と本体基部との位置決めを正確に行わないと、パチンコ球発射装置と遊技盤との相対的な位置のズレが大きくなってしまうため、パチンコ球発射装置から発射されたパチンコ球が設計時に計算された位置とは異なる位置に打ち出されてしまい、入賞口へのパチンコ球の入賞率が設計時に計算された入賞率とは大きく異なってしまう虞がある。
【０００８】
ところで、上述した支持部材を例えば略矩形状に形成された遊技盤の外周を取り囲むように、矩形の枠形状に形成し、支持部材に遊技盤を着脱自在に取り付けられるようにし、本体基部に遊技盤を取り付けるための取り付け領域である開口（遊技盤取り付け部）を形成した場合、遊技盤の大きさ等を含む形状に制限が加えられ、また、寸法に関しても高い精度が要求されるといった問題が生じてしまう。また、支持部材を成形するために用いられる金型の大型化・複雑化を招き、コストが増大してしまうといった問題が生じる。さらに、支持部材が遊技盤の外周を取り囲むように枠形状に形成すると、遊技盤が取り付けられる本体基部の開口が大型化してしまい、これにより本体基部の強度が低下してしまうといった問題が生じる。
【０００９】
本発明は上記事情を考慮してなされたもので、遊技盤や遊技盤及び回動扉を支持する支持部材のメンテナンスなどの作業を行う際に、作業を安全、且つ効率良く行うことができるようにし、さらに、支持部材の本体基部への位置決めを正確、且つ容易に行うことができるようにした弾球遊技機を提供することを目的とする。また、支持部材のコストダウンを図るとともに、遊技盤の形状の自由度を高め、さらに、本体基部の強度を高めることができるようにした弾球遊技機を提供することも本発明の別の目的である。
【課題を解決するための手段】
【００１０】
上記目的を達成するために、本発明の弾球遊技機は、遊技球が打ち出される遊技領域を有する略矩形状に形成された遊技盤と、前記遊技盤を支持する支持部材と、前記遊技盤が取り付けられる遊技盤取り付け部を有する本体基部とを備えたものであって、前記遊技盤を支持する支持部材と、前記支持部材を前記遊技盤の一側部に沿って形成するとともに、前記一側部に配置し、前記支持部材及び前記一側部のいずれか一方に第１軸を、他方に前記第１軸を挿脱自在で、且つ回動自在に保持する第１軸受けを設け、前記本体基部及び前記支持部材のいずれか一方に第２軸を、他方に前記第２軸を挿脱自在で、且つ回動自在に保持する第２軸受けを設け、前記遊技盤取り付け部に対して、前記遊技盤を前記遊技盤取り付け部に着脱自在に固定する遊技盤固定手段を設けたことを特徴とする。
【００１１】
前記支持部材は、前記第１軸を中心として、前記遊技盤を回動自在に軸支する支持部と、前記支持部に軸支された遊技盤が、前記本体基部側に回動することを防止する回動防止部とから構成されることが好ましい。
【発明の効果】
【００１２】
本発明の弾球遊技機は、遊技球が打ち出される遊技領域を有する略矩形状に形成された遊技盤と、前記遊技盤を支持する支持部材と、前記遊技盤が取り付けられる遊技盤取り付け部を有する本体基部とを備えたものであり、前記支持部材を前記遊技盤の一側部に沿って形成するとともに、前記一側部に配置し、前記支持部材及び前記一側部のいずれか一方に第１軸を、他方に前記第１軸を挿脱自在で、且つ回動自在に保持する第１軸受けを設け、前記本体基部及び前記支持部材のいずれか一方に第２軸を、他方に前記第２軸を挿脱自在で、且つ回動自在に保持する第２軸受けを設け、前記遊技盤取り付け部に対して、前記遊技盤を前記遊技盤取り付け部に着脱自在に固定する遊技盤固定手段とを設けたので、遊技盤の背面に設けられている制御装置の修理や点検などのメンテナンス作業を行う際に、遊技盤を本体基部から取り外したり、遊技盤を本体基部ごと回動させたりせずに、遊技盤を回動させるだけでメンテナンス作業を行うことが可能となり、メンテナンス作業を安全かつ効率良く行うことができる。
【００１３】
また、本発明によれば、支持部材や遊技盤を本体基部から取り外す際に支持部材や遊技盤の落下を防ぐための仮止めを行う必要がなくなるため、仮止めに用いられる部品の削減を行うことができる。また、支持部材を成形するための金型を小型で、且つ簡単な構造にすることができ、コストダウンを図ることができる。また、支持部材がコンパクトな形状であるため、本体基部の支持部材を設置するためのスペースが最小限に抑えられ、これにより本体基部の強度を高めることができる。また、支持部材は遊技盤を遊技盤の側方から支持するので、遊技盤の大きさ等を含む形状の自由度を高めることができる。さらに、本体基部と支持部材との対応関係の寸法精度が高められるため、本体基部に支持部材を正確に位置決めすることが可能となり、これにより、遊技盤や回動扉などを正しい位置に正確に取り付けることができるようになる。
【００１４】
また、本発明によれば、遊技盤や回動扉を支持する支持部材、あるいは遊技盤の背面に設けられている制御装置の修理や点検などのメンテナンス作業を行う際に、支持部材を本体基部から取り外したり、支持部材や遊技盤を本体基部ごと回動させたりせずに、本体基部に対して支持部材を回動させるだけでメンテナンス作業を行うことが可能となり、メンテナンス作業を安全かつ効率良く行うことができる。
【発明を実施するための最良の形態】
【００１５】
図１及び図２に示すように、弾球遊技機であるパチンコ機１０は、外枠１１、本体基部１２、遊技盤１３、ガラス枠ユニット１４から構成されている。外枠１１は遊技場の設置箇所に固定される。本体基部１２は、外枠１１に着脱自在で、かつ、第４上部軸受け１５を介して回動自在に軸着されている。ガラス枠ユニット１４は本体基部１２に第２上部軸受け１６を介して着脱自在で、かつ、回動自在に軸着されている。
【００１６】
本体基部１２は、上部と下部の２つに区画された矩形の枠形状に形成されており、その下部には下部ユニット１２ａが取り付けられている。下部ユニット１２ａには、操作ハンドル１２ｂ、後述する受皿２４、パチンコ球発射装置などが設けられている。
【００１７】
遊技盤１３は、略矩形状に形成されている。遊技盤１３の背面には、メイン制御基盤（メイン制御装置）やサブ制御基盤が設けられている。メイン制御基盤は、機種に応じた遊技の実行処理を行い、さらに、サブ制御基板に対して命令を行うための制御を行う。サブ制御基盤は、図柄表示装置１７の表示制御、ランプ１２ｃの点灯制御、スピーカー１２ｄから出力される音声制御などの各駆動装置の作動を制御する。
【００１８】
遊技盤１３の前面側には遊技領域１３ａが設けられており、この遊技領域１３ａには、図柄表示装置１７、始動入賞口１８、通常入賞口１９、通過入賞口２０、アタッカ２１、アウト口２２が設けられている。図示は省略してあるが、遊技盤１３の遊技領域１３ａにはその他複数の障害釘や風車などが適宜箇所に設けられている。
【００１９】
操作ハンドル１２ｂが操作されると、パチンコ球の発射装置によってパチンコ球が遊技盤１３の遊技領域１３ａに打ち出され、打ち出されたパチンコ球が始動入賞口１８、通常入賞口１９、通過入賞口２０、アウト口２２のいずれかに入る。始動入賞口１８にパチンコ球が入賞すると当たり又はハズレを決定する抽選が行われるとともに図柄表示装置１７が作動される。図柄表示装置１７では、図柄の可変表示及び抽選の結果に応じた演出処理などが行われる。そして、図柄が停止表示されたときに、予め定められた図柄の組み合わせが表示されていると当たりとなり、通常状態から遊技者にとって有利となる当たり状態へと所定期間移行される。
【００２０】
当たり状態となると、アタッカ２１が、一回につき、その奥に設けられている大入賞口を所定時間又はパチンコ球が所定個数入賞するまで開放するように回動され、これが所定回数繰り返される。始動入賞口１８、通常入賞口１９、大入賞口にパチンコ球が入賞すると、入賞した入賞口の種類に応じて所定個数のパチンコ球が払い出し口２３から受皿２４に払い出される。一方、始動入賞口１８、通常入賞口１９、大入賞口に入賞しなかったパチンコ球はアウト口２２に入ってハズレ球として回収される。
【００２１】
図３及び図４に示すように、ガラス枠ユニット１４は、支持部材３０と窓部（回動扉）３１とを備えている。支持部材３０は、支持部３２と回動防止部３３とから構成されている。支持部材３０は断面が階段状になっている縦長の板であり、遊技盤１３の正面視左側面（一側部）に沿うように形成されている。支持部材３０は遊技盤１３及び窓部３１のそれぞれの一方の側面に配置される。支持部材３０の支持部３２は、遊技盤１３及び窓部３１を支持する部位である。支持部３２は略コ字形状に形成されており、一端には第３上部軸受け（第３軸受け）３４及び第２上部軸（第２軸）３５が、他端には第３下部軸（第３軸）３６及び第２下部軸（第２軸）３７（図１１参照）が、側面には第１上部軸受け（第１軸受け）３８及び第１下部軸受け（第１軸受け）３９が設けられ、遊技盤１３及び窓部３１が着脱自在に取り付けられる。回動防止部３３は遊技盤１３の後方への回動を防止するためのものであり、遊技盤１３が支持部３２に取り付けられると、遊技盤１３の背面の一部に当接するように形成されている。
【００２２】
図４に示すように、窓部３１は略矩形の枠形状に形成されている。窓部３１の上面で正面から向かって左方の角部（一側部）には、上方に向けて突出した第３上部軸（第３軸）４０が設けられている。また、支持部材３０の支持部３２の下端部には、上方に向けて突出した第３下部軸（第３軸）３６が設けられている。窓部３１は、第３上部軸４０と第３下部軸３６とによって、支持部材３０に対して回動自在で、かつ着脱自在に軸着されている。窓部３１を回転させると、遊技盤１３の前面側を開閉することが可能になる。窓部３１の前面には、ランプ１２ｃやスピーカー１２ｄなどが取り付けられている。
【００２３】
支持部材３０の支持部３２の上端部には、詳しくは後述する第３上部軸受け３４が設けられている。第３上部軸受け３４は折り曲げられた板に軸を保持するための部品を取り付けることによって構成されている。そして、第３上部軸受け３４の上面には上方に向けて突出した第２上部軸３５が設けられ、支持部３２の下端部の下面には下方に向けて突出した第２下部軸３７（図１１参照）が設けられている。支持部材３０は、第２上部軸３５及び第２下部軸３７によって、本体基部１２に対して回動自在で、かつ着脱自在に軸着されている。
【００２４】
遊技盤１３の一方の側面の上部と下部とには、第１上部軸（第１軸）４１と第１下部軸（第１軸）４２とが設けられている。第１上部軸４１は支持部材３０の第１上部軸受け３８に挿通され、第１下部軸４２は支持部材３０の第１下部軸受け３９に挿通される。このように第３上部軸４１は第１上部軸受け３８に、第１下部軸４２は第１下部軸受け３９に挿脱自在で、且つ回動自在に保持される。これにより遊技盤１３は第１上部軸４１と第１下部軸４２とによって支持部材３０に着脱自在で、且つ回動自在に軸支される。
【００２５】
窓部３１にはガラス窓４３が取り付けられている。ガラス窓４３は、ガラス枠４３ａとガラス４３ｂとから構成されている。ガラス４３ｂはガラス枠４３ａに嵌め込まれている。ガラス枠４３ａは、窓部３１に対してガラス枠用軸４３ｃを中心に回動自在でかつ着脱自在に取り付けられている。窓部３１は遊技盤１３の前面側に配置されているため、窓部３１が遊技盤１３の前面を閉じた状態のとき、ガラス４３ｂを通して遊技盤１３の遊技領域１３ａが透視可能となる。ガラス窓４３が窓部３１のガラス枠用開口４３ｄに嵌め込まれ、窓部３１に設けられた窓止め部材４４がガラス窓４３に係止すると、ガラス窓４３はその回転が不能な状態とされる。なお、ガラス枠４３ａにはガラス４３ｂに限らず、例えば透明な樹脂の板など透明な板であれば適宜の部材を嵌め込むことが好ましい。
【００２６】
図５に示すように、本体基部１２の一段凹んだ部分には、遊技盤１３が取り付けられる遊技盤取り付け枠（遊技盤取り付け部）１２ｇが形成されている。遊技盤取り付け枠１２ｇの正面から向かって右側の上下端部には、遊技盤１３を本体基部１２に固定するための一対の第１固定部材（遊技盤固定用係止部材）４５が設けられている。第１固定部材４５は、正面から見た外形が略ひし形形状に形成されており、本体基部１２に回動自在に軸着されている。そして、遊技盤１３が取り付けられていない状態では図に示すように長手方向が垂直に向けられた取り外し位置にセットされている。また、遊技盤１３には、遊技盤１３が本体基部１２に取り付けられたときに、第１固定部材４５と対面する位置に挿通孔（遊技盤固定用孔部）１３ｂが形成されている（図４参照）。挿通孔１３ｂは第１固定部材４５が挿通可能な大きさに形成されており、第１固定部材４５が取り外し位置にセットされた状態で遊技盤１３が本体基部１２に取り付けられると、第１固定部材４５が遊技盤１３の前面側に回動自在な状態で突出する。
【００２７】
第１固定部材４５が挿通孔１３ｂから突出した状態でその長手方向が水平（挿通孔１３ｂと直交）となるように９０度回転されると、第１固定部材４５は、遊技盤１３を本体基部１２から取り外すことが不能になる固定位置にセットされる。第１固定部材４５が固定位置に回動されると、第１固定部材４５が挿通孔１３ｂを通過不能となり、遊技盤１３の挿通孔１３ｂに係止する。これにより、遊技盤１３が本体基部１２に固定され、遊技盤１３を回動させることが不能な状態となる。このように、第１固定部材４５は遊技盤固定手段として機能する。
【００２８】
遊技盤取り付け枠１２ｇの正面から向かって左側の上下端部には、支持部材３０を本体基部１２に固定するための一対の第２固定部材（支持部材固定用係止部材）６０が設けられている。第２固定部材６０は第１固定部材と同様の構成になっている。支持部材３０の回動防止部３３には、第２固定部材６０に対応するように挿通孔（支持部材固定用孔部）３３ａが形成されており、支持部材３０が遊技盤取り付け枠１２ｇに対面した際に、取り外し位置にセットされた状態の第２固定部材６０が挿通孔３３ａに挿通される。第１固定部材と同様に第２固定部材６０が固定位置に回動されると、第２固定部材が挿通孔３３ａを挿通不能となり、支持部材３０の挿通孔３３ａに係止する。これにより、支持部材３０が本体基部１２に固定され、支持部材を回動させることが不能な状態となる。このように、第２固定部材６０は支持部材固定手段として機能する。
【００２９】
窓部３１の背面で窓部３１の軸側とは反対側の端部の中央部には、第１固定部材４５と同様の構成の第３固定部材（回動扉固定用係止部材）４６が設けられている（図３参照）。また、遊技盤１３には、窓部３１が遊技盤１３の前面を閉じた状態のとき、第３固定部材４６が挿通される挿通孔（回動扉固定用孔部）１３ｃが形成されている。第３固定部材４６を挿通孔１３ｃに挿通して固定位置にセットすると、第３固定部材４６は挿通孔１３ｃに係止する。これにより、窓部３１が遊技盤１３に固定され、窓部３１を回動させることが不能な状態となる。このように、第３固定部材４６は回動扉固定手段として機能する。
【００３０】
図６及び図７に示すように、第１上部軸受け１５にはベース部材４７が設けられており、ベース部材４７には軸受け部材４８、ロック部材４９、トーションバネ５０が組み付けられている。
【００３１】
ベース部材４７は金属板を折り曲げることによって形成されており、その先端部には下方に突出するとともに円弧状に屈曲した壁４７ａが形成されている。軸受け部材４８はその側壁の一部が壁４７ａの形状に沿った形状となるように形成されており、軸受け部材４８がベース部材４７に組み付けられると、軸受け部材４８は壁４７ａの形状に沿って当接する。
【００３２】
また、軸受け部材４８には、壁４７ａと当接する部分とは反対側の側壁を円弧状に切り欠くことによって形成された凹状の受け部４８ａが設けられている。第２上部軸受け１６には上方に向けて突出する第４上部軸１６ａが設けられており、図８に示すように、受け部４８ａには第４上部軸１６ａが挿入され、第４上部軸１６ａが第４上部軸受け１５によって軸支される。第４上部軸１６ａは、受け部４８ａの挿入口４８ｂから受け部４８ａ内に挿入される。軸受け部材４８は、ねじ４８ｃによってベース部材４７に組み付けられる。また軸受け部材４８には、後述する支軸５１に軸着されたロック部材４９の後述するストッパ面４９ｄが当接する側壁面４８ｄが形成されている。
【００３３】
ロック部材４９には、ロック部材４９の下面に形成した溝からなるバネ収納部４９ａが設けられている。バネ収納部４９ａにはトーションバネ５０が収納される。トーションバネ５０は、ロック部材４９のバネ収納部４９ａに収納され、トーションバネ５０の一端が、バネ収納部４９ａの側壁面に当接し、他端がベース部材４７に設けられた係止穴４７ｂに挿通される。これによって、ロック部材４９が反時計方向に付勢される。また、バネ収納部４９ａを囲む壁面のうち、ロック部材４９の上面の反対側に位置する面には、ロック部材４９の上面に貫通した開口４９ｂが設けられている。開口４９ｂにはベース部材４７に設けられた支軸５１が上面側から挿通される。
【００３４】
ロック部材４９は、トーションバネ５０の付勢力によって軸受け部材４８の挿入口４８ｂを閉塞する閉塞位置に保持される。ロック部材４９は、本体基部１２を外枠１１に組み付ける際に、第４上部軸１６ａを軸方向と直交する方向（図６に示す矢印Ｘ方向）で外枠１１に向けて移動させたときに、本体基部１２の移動に伴って第４上部軸１６ａに押圧されて図９に示す位置からトーションバネ５０の付勢に抗して図１０に示すように時計回りに回動する。ロック部材４９の回動によって、挿入口４８ｂが開放されるとともに軸受け部材４８とロック部材４９との間に第４上部軸１６ａの挿入経路５２が形成される。
【００３５】
また、ロック部材４９の上面には、ガイド溝４９ｃが形成されている。ガイド溝４９ｃは、ロック部材４９の回動方向に沿った略弓形の長溝に形成されている。ベース部材４７には下方に突出したピン４７ｃが設けられており、ロック部材４９をベース部材４７に組み付けるとピン４７ｃがガイド溝４９ｃに入り込む。ガイド溝４９ｃにピン４７ｃが入り込むと、ロック部材４９は回動する方向が一定の方向にガイドされ、ロック部材４９の回動範囲が一定範囲に制限される。
【００３６】
また、ロック部材４９の側壁面には、軸受け部材４８の側壁面４８ｄに当接し、ロック部材４９の回動を一方向に制限するストッパ面４９ｄと、軸受け部材４８の受け部４８ａに第４上部軸１６ａを挿入させる際に、第４上部軸１６ａが摺接される摺接面４９ｅが設けられている。
【００３７】
支軸５１には、ロック部材４９、トーションバネ５０、ワッシャー５３の順で組み付けられた後に、支軸５１に設けられた溝５１ａにｅリング５４が嵌め込まれることによって、上記各部材がベース部材４７に固定される。
【００３８】
次に、第２上部軸受け１６及び第３上部軸受け３４について説明するが、第２上部軸受け１６は第４上部軸受け１５と同様の部材（ロック部材４９、トーションバネ５０、支軸５１、ワッシャー５３など）を用いて同様の構成によって第２上部軸３５を保持し、第３上部軸受け３４は第１上部軸受け１５と同様の部材を用いて同様の構成によって第３上部軸４０を保持するため、第２上部軸３５及び第３上部軸４０を保持するための構成及び同一の部材については、第４上部軸受け１５と同一の符号を用いて詳しい説明は省略し、第４上部軸受け１５との相違点（ベース部材４７及び軸受け部材４８）について説明する。
【００３９】
外枠１１の内壁のうちの下面で、正面から向かって左方の角部には、上方に向けて突出した第４下部軸１１ａ（図１１参照）が設けられ、本体基部１２の下面で、正面から向かって左方の角部には、第４下部軸取り付け孔１２ｅ（図１１参照）が形成されている。外枠１１に本体基部１２を取り付ける際には、第４下部軸取り付け孔１２ｅには第４下部軸１１ａが挿入される。これにより、第４上部軸１６ａは第４上部軸受け１５に、第４下部軸１１ａは第４下部軸取り付け孔１２ｅに挿脱自在で、且つ回動自在に保持される。このように、本体基部１２は、第４上部軸１６ａと第４下部軸１１ａとによって、外枠１１に着脱自在で、かつ回動自在に軸着される。
【００４０】
図１１に示すように、第４上部軸１６ａの上方側の端部には、挿入部１６ｂが形成されている。挿入部１６ｂは、円柱形状でその先端が半球状に形成されている。挿入部１６ｂは、第４上部軸受け１５に取り付けられた軸受け部材４８の受け部４８ａに挿入される。
【００４１】
第４上部軸１６ａの下方側の端部には、位置決め部１６ｃが形成されている。位置決め部１６ｃは挿入部１６ｂよりも一回り細い円柱形状に形成されている。また、第４上部軸１６ａの挿入部１６ｂと位置決め部１６ｃの境目となる部分には、円盤状のフランジ１６ｄが設けられている。第４上部軸１６ａは、位置決め部１６ｃが第２上部軸受け１６のベース部材５５に形成された孔５５ａを貫通するように挿通されて第２上部軸受け１６に取り付けられる。位置決め部１６ｃが取り付けられると、フランジ１６ｄが第２上部軸受け１６の上面１６ｅに接し、位置決め部１６ｃはベース部材５５の下面側に突出する。ベース部材５５は位置決め部１６ｃが挿通される孔５５ａが形成されている部分以外はベース部材４７と同様の構成となっている。
【００４２】
ベース部材５５の下面には、軸受け部材５６が取り付けられている。軸受け部材５６には、軸受け部材４８の受け部４８ａと同様の形状に形成された受け部５６ａが形成されている。受け部５６ａを取り囲む壁面には、内側に向けて突出した板状の係止部５６ｂが形成されている。軸受け部材５６は、係止部５６ｂで位置決め部１６ｃを狭持するように係止部５６ｂに係止させて位置決めしてから係止部５６ｂをカシメ加工することによってベース部材５５に取り付けられる。なお、カシメ加工の方法は例えば熱溶着など適宜の方法にすることが好ましい。これにより、第４上部軸１６ａが第４上部軸受け１５で保持され、第２上部軸３５が第２上部軸受け１６の軸受け部材５６で保持されると、第４上部軸１６ａと第２上部軸３５との軸心（軸心部）が同軸上に配置される。
【００４３】
第２上部軸３５には第４上部軸１６ａの挿入部１６ｂと同様の構成をした挿入部３５ｃが形成されており、軸受け部材５６の受け部５６ａには、第２上部軸３５の軸方向と直交する方向（図６に示す矢印Ｘ方向）に支持部材３０を本体基部１２に向けて移動させたときに、挿入部３５ｃが挿入される。なお、軸受け部材５６の挿入口５６ｂは軸受け部材４８の挿入口４８ｂと、軸受け部材５６の側壁面５６ｄは軸受け部材４８の側壁面４８ｄと同様の構成となっている。このように軸受け部材５６における係止部５６ｂ以外の部分は軸受け部材４８と同様の構成であるので詳しい説明は省略する。
【００４４】
第３上部軸受け３４は、ベース部材５５と同様の構成をしたベース部材５７を備えている。ベース部材５７の下面側には、第２上部軸受け１６と同様に第３上部軸４０を保持するための部材（軸受け部材５６、ロック部材４９、トーションバネ５０、支軸５１、ワッシャー５３など）が取り付けられている。
【００４５】
第２上部軸３５は、第４上部軸１６ａと同形状、同様の構成の挿入部３５ｃ、位置決め部３５ｄ、フランジ３５ｅを備えており、第４上部軸１６ａと同様にベース部材５７に取り付けられる。また、軸受け部材５６と同様に、第２上部軸３５は、係止部５６ｂを位置決め部３５ｄに係止させて位置決めしてから係止部５６ｂをカシメ加工することによってベース部材５７に取り付けられる。なお、カシメ加工の方法は例えば熱溶着など適宜の方法にすることが好ましい。これにより、第２上部軸３５が第２上部軸受け１６で保持され、第３上部軸４０が第３上部軸受け３４の軸受け部材５６で保持されると、第２上部軸３５と第３上部軸４０との軸心（軸心部）が同軸上に配置される。ベース部材５７に設けられた軸受け部材５６の受け部５６ａには、第３上部軸４０の軸方向と直交する方向（図６に示す矢印Ｘ方向）に窓部３１を支持部材３０に向けて移動させたときに、第３上部軸４０の先端部が挿入される。
【００４６】
また、支持部材３０の支持部３２の下端部の下面には下方に突出した第２下部軸３７が形成され、本体基部１２の支持部材３０が収納される部分の内壁の下面には、第２下部軸取り付け孔（第２軸受け）１２ｆが形成されている。本体基部１２に支持部材３０を取り付ける際には、第２下部軸取り付け孔１２ｆには第２下部軸３７が挿入される。これにより、第２上部軸３５は第２上部軸受け１６に、第２下部軸３７は第２下部軸取り付け孔１２ｆに挿脱自在で、且つ回動自在に保持される。このように、支持部材３０は本体基部１２に、第２上部軸３５と第２下部軸３７とによって着脱自在で、かつ回動自在に軸支される。
【００４７】
窓部３１を支持部材３０に取り付ける際に、第３上部軸４０は、第３上部軸受け３４に設けられた軸受け部材５６で保持される。また、窓部３１の下面で正面から向かって左方の角部（一側部）には、第３下部軸取り付け孔（第３軸受け）３１ｃが形成されている。窓部３１を支持部材３０に取り付ける際には、第３下部軸取り付け孔３１ｃに第３下部軸３６が挿入される。これにより、第３上部軸４０は第３上部軸受け３４に、第３下部軸３６は第３下部軸取り付け孔３１ｃに挿脱自在で、且つ回動自在に保持される。このように、窓部３１は支持部材３０に、第３上部軸４０と第３下部軸３６とによって着脱自在で、かつ回動自在に軸支される。
【００４８】
結果的に、パチンコ機１０が組み立てられると、第２上部軸３５、第３上部軸４０、第４上部軸１６ａ、第２下部軸３７、第３下部軸３６、第４下部軸１１ａの軸心が軸方向で同一となるように各軸が配設される。
【００４９】
次に、上記のように構成されたパチンコ機１０の作用について説明する。例えば機種の入れ替えや破損や故障などによるメンテナンスの作業を行う場合に、ガラス枠ユニット１４を本体基部１２から取り外すには、先ず、上下の挿通孔１３ｂ、３３ａのそれぞれに貫通した状態で固定されている上下の第１、２固定部材４５、６０をそれぞれ挿通孔１３ｂ、３３ａから脱離不能とするように固定位置から取り外し位置に移動操作してセットし、軸支された遊技盤１３及び支持部材３０の回動の不能状態を解除し、遊技盤１３の軸側とは反対側の端部を本体基部１２から回動させる（図５に示す状態）。そして、窓部３１を遊技盤１３に対して閉じた状態にすることで挿通孔１３ｃに第３固定部材４６を挿通させる。第３固定部材４６を挿通孔１３ｃから脱離不能となるように取り外し位置から固定位置にセットして遊技盤１３と窓部３１とを固定し、一体化させる。この後、遊技盤１３を支持した状態の支持部材３０と窓部３１とが一体となったガラス枠ユニット１４を上方向に持ち上げて第２下部軸３７を第２下部軸取り付け孔１２ｆから引き抜く。
【００５０】
なお、第２上部軸３５が第２上部軸受け１６のベース部材５５に当接したり、あるいは、支持部材３０の上面が軸受け部材５６の下面に当接したりして、ガラス枠ユニット１４を持ち上げることができなくならないように、第２上部軸３５とベース部材５５との間、及び支持部材３０の上面と軸受け部材５６の下面との間にはガラス枠ユニット１４を持ち上げて第２下部軸３７を第２下部軸取り付け孔１２ｆから引き抜くことが可能となる距離が設定されている。
【００５１】
第２下部軸３７の引き抜き後に、ガラス枠ユニット１４を第２上部軸３５を支点に前方に傾けるとともに下方向に移動させて押し下げることで、第２上部軸３５を第２上部軸受け１６に設けられている軸受け部材５６の受け部５６ａから引き抜く。これにより、ガラス枠ユニット１４の取り外しが完了する。
【００５２】
また、例えば機種交換の際などに取り外したガラス枠ユニット１４とは異なる新たなガラス枠ユニット１４を本体基部１２に取り付ける場合には、先ず、第２下部軸３７を第２下部軸取り付け孔１２ｆに挿入し、第２下部軸３７の挿入後に該挿入部を軸にガラス枠ユニット１４を図６に示す矢印Ｘ方向に移動させる。
【００５３】
ガラス枠ユニット１４を図６に示す矢印Ｘ方向に移動させると、図９に示すように、第２上部軸３５がベース部材５５に組み付けられたロック部材４９に当接し、第２上部軸３５は、ロック部材４９の摺接面４９ｅに沿って移動する。そして、第２上部軸３５が図９中二点鎖線まで移動すると、ロック部材４９がトーションバネ５０の付勢に抗して図中時計方向に回転する。
【００５４】
図１０に示すように、ロック部材４９の回転によって、ロック部材４９と軸受け部材５６との間に挿入経路５２が形成され、この挿入経路５２の一端と軸受け部材５６の挿入口５６ｂとが連通される。
【００５５】
そして、図８に示すように、第２上部軸３５は挿入経路５２に沿って移動し、第２上部軸３５が軸受け部材５６の挿入口５６ｂから受け部５６ａに挿入される。第２上部軸３５が軸受け部材５６の受け部５６ａに挿入されると、ロック部材４９がトーションバネ５０の付勢によって図中反時計方向に回転する。そして、ロック部材４９のストッパ面４９ｄが軸受け部材５６の側壁面５６ｄに当接し、前述した閉塞位置でロック部材４９が停止する。これにより、ロック部材４９の摺接面４９ｅと軸受け部材５６の側壁面５６ｄとによって形成された挿入経路５２が無くなり、挿入口５６ｂがロック部材４９の側壁面によって閉塞されて、第２上部軸３５がロック部材４９の側壁面と、軸受け部材５６の受け部５６ａの側壁面によって軸支される。上下の第１、２固定部材４５、６０をそれぞれを取り外し位置にした後、遊技盤１３の軸側とは反対側の端部を本体基部１２の遊技盤取り付け枠１２ｇに向けて回動させ、第１固定部材４５を挿通孔１３ｂに、第２固定部材６０を挿通孔３３ａに挿通させ、第１、２固定部材４５、６０のそれぞれを取り外し位置から固定位置に移動操作してセットする。これにより、ガラス枠ユニット１４の本体基部１２への取り付けが完了する。
【００５６】
また、窓部３１を支持部材３０から取り外すには、第３下部軸３６から第３下部軸取り付け孔３１ｃが引き抜かれるように、窓部３１を上方向に持ち上げる。そして、第３下部軸３６から第３下部軸取り付け孔３１ｃが引き抜かれた状態で、窓部３１の下部を前面側に傾けながら窓部３１を下方向に押し下げて、第３上部軸４０を第３上部軸受け３４に設けられている軸受け部材５６の受け部５６ａから引き抜く。これにより、窓部３１の支持部材３０からの取り外しが完了する。なお、窓部１３の上面が軸受け部材５６の下面に当接したり、あるいは、第３上部軸４０が第３上部軸受け３４のベース部材５７に当接したりして、窓部３１が持ち上げることができなくならないように、窓部１３の上面と軸受け部材５６の下面との間、及び第３上部軸４０とベース部材５７との間には窓部３１を持ち上げて第３下部軸３６を第３下部軸取り付け孔３１ｃから引き抜くことが可能となる距離が設けられている。
【００５７】
遊技盤１３を支持していない状態の支持部材３０に窓部３１を取り付ける場合には、先ず、第３下部軸取り付け孔３１ｃに第３下部軸３６が挿入されるように、窓部３１の上部を前面側に傾けながら下方向に押し下げる。そして、第３下部軸取り付け孔３１ｃに第３下部軸３６が挿入された状態で、該挿入部を軸に窓部３１の上部が後面側に傾くように図６に示す矢印Ｘ方向に窓部３１を移動させて第３上部軸４０を第３上部軸受け３４に設けられている軸受け部材５６の受け部５６ａ内に前述した第２上部軸３５と同様に図８〜図１０に示すように挿入する。これにより、窓部３１の支持部材３０への取り付けが完了する。さらに、支持部材に遊技盤１３を取り付ける場合には、支持部材の第１上部軸受けに遊技盤の第１上部軸を、支持部材の第１下部軸受けに遊技盤の第１下部軸を挿入する。これにより、遊技盤の支持部材への取り付けが完了する。
【００５８】
また、本体基部１２を外枠１１から取り外すには、第４下部軸１１ａから第４下部軸取り付け孔１２ｅが引き抜かれるように、本体基部１２を上方向に持ち上げる。第４下部軸１１ａから第４下部軸取り付け孔１２ｅが引き抜かれた後、本体基部１２の下部を前面側に傾けながら本体基部１２を下方向に押し下げて、第４上部軸１６ａを第４上部軸受け１５に設けられている軸受け部材４８の受け部４８ａから引き抜く。これにより、本体基部１２の外枠１１からの取り外しが完了する。なお、第４上部軸１６ａが第４上部軸受け１５のベース部材４７に当接して、本体基部１２を持ち上げることが不可能となることのないように、第４上部軸１６ａとベース部材４７との間には本体基部１２を持ち上げて第４下部軸１１ａから第４下部軸取り付け孔１２ｅを引き抜くことが可能となる距離が設けられている。
【００５９】
外枠１１に本体基部１２を取り付ける場合には、先ず、第４下部軸取り付け孔１２ｅに第４下部軸１１ａが挿入されるように、本体基部１２の上部を前面側に傾けながら下方向に押し下げる。第４下部軸取り付け孔１２ｅに第４下部軸１１ａが挿入された状態で、該挿入部を軸に本体基部１２の上部が後面側に傾くように図６に示す矢印Ｘ方向に本体基部１２を変位させて第４上部軸１６ａを第４上部軸受け１５に設けられている軸受け部材４８の受け部４８ａ内に前述した第２上部軸３５と同様に図８〜図１０に示すように挿入する。これにより、本体基部１２の外枠１１への取り付けが完了する。
【００６０】
以上のように、支持部材３０は遊技盤１３の側面に沿うように縦長に形成され、遊技盤１３を側方から支持しているので、遊技盤１３の形状の自由度を高めることができ、さらに、支持部材３０を成形するための金型を小型で、且つ簡単な構造にすることができるので、コストダウンを図ることができる。また、支持部材３０が遊技盤１３を側方から支持可能となるようにコンパクトな形状に形成されているので、本体基部１２の支持部材３０を取り付けるためのスペースが必要最小限に抑えられ、これにより本体基部１２の強度を高めることができる。
【００６１】
上記実施形態では、支持部材３０が遊技盤１３の正面視左側面に沿うように形成されているが、図１２に示すように、遊技盤１３の正面視左側面、及び底面に沿ってＬ字形状に形成された支持部材７０を用いても良い。以下、図１２及び図１３を参照して支持部材７０について説明するが、上記実施形態と同様の部材については同一の符号を付してその説明を省略する。支持部材７０は、遊技盤１３の正面視左側面に沿って形成されている支持部材本体７２と、支持部材本体７２の下端から遊技盤１３の底面に沿って延設されている延設部７３とから構成されている。支持部材本体７２は、支持部７４及び回動防止部７５から構成されている。支持部７４及び回動防止部７５のそれぞれは、支持部材３０の支持部３２及び回動防止部３３と同様の構成となっている。延設部７３の先端部には遊技盤１３の底面に対面するように挿入穴７３ａが形成されている。遊技盤１３の底面には、挿入穴７３ａと対向する位置に、挿入穴７３ａに挿入される突起７６が設けられている。
【００６２】
突起７６は、係止部７６ａ、突起本体７６ｂ、及び係止解除レバー７６ｃから構成されている。突起本体７６ｂは円柱形状でその先端が半球状に形成されており、突起本体７６ｂには係止部７６ａと係止解除レバー７６ｃが一体に形成されている。遊技盤１３の下部には突起７６と、コイルバネ７７とを収容する空間である収容部１３ｄが形成されている。コイルバネ７７の一端は収容部１３ｄの上壁に固着され、他端は突起本体７６ｂの上部に固着されており、突起７６はコイルバネ７７により下方向に付勢されている。遊技盤１３の底面には、収容部１３ｄに収容されている突起７６の突起本体７６ｂを遊技盤１３の外部に突出させる開口１３ｅが、遊技盤１３の背面には係止解除レバー７６ｃを遊技盤１３の外部に突出させる開口１３ｆが形成されている。収容部１３ｄの底壁１３ｇは、突起７６が下方向に付勢された際に、突起本体７６ｂの下方向への移動を規制するストッパになっている。つまり、突起７６が下方向に付勢されると、突起本体７６ｂと一体に形成されている係止部７６ａ及び係止解除レバー７６ｃが底壁１３ｇに係止して、突起本体７６ｂが開口１３ｄから突出する。
【００６３】
遊技盤１３を支持部材７０に取り付ける場合、先ず、遊技盤１３の第１上部軸４１を支持部材７０の第１上部軸受け３４に、遊技盤１３の第１下部軸４２を支持部材７０の第１下部軸受け３９に挿通させ、突起７６の突起本体７６ｂを挿入穴７３ａに挿入する。また、遊技盤１３を支持部材７０から取り外す場合、先ず、突起７６の係止解除レバー７６ｃをコイルバネ７７の付勢に抗して上方に持ち上げる。これにより挿入穴７３ａに挿入されている突起７６の突起本体７６ｂが、挿入穴７３ａから抜き取られ、突起本体７６ｂと挿入穴７３ａとによる係止状態が解除される。そして、第１上部軸４１及び第１下部軸４２を第１上部軸受け３４及び第１下部軸受け３９から抜き取る。これにより、遊技盤１３の支持部材７０からの取り外しが完了する。
【００６４】
このように、Ｌ字形状に形成された支持部材７０を用いることにより、遊技盤１３や窓部３１が軸着された際、支持部材７０にかかる遊技盤１３や窓部３１の荷重負担を分散させることができる。また、突起７６を挿入穴７３ａに係止させることにより遊技盤１３が支持部材７０に固定され、遊技盤１３の支持部材７０上でのバラつきを抑えることができ、遊技盤１３が取り付けられている支持部材７０を本体基部１２に取り付ける作業が容易になる。
【００６５】
上記実施形態では、交換する部材に第２、３、４上部軸３５、４０、１６ａを設け、これら各軸に対応するように据え置きする部材に第２、３、４上部軸受け１６、３４、１５を設け、また、交換する部材に第１上部軸４１、第１下部軸４２を設け、これら各軸に対応するように据え置きする部材に第１上部軸受け３８、第１下部軸受け３９を設けたが、交換する部材に軸受けを設け、据え置きする部材に軸を設けても良い。この場合についても各軸の軸芯は同一となるようにすることが好ましい。
【図面の簡単な説明】
【００６６】
【図１】本発明を適用したパチンコ機の外観を示す斜視図である。
【図２】本体基部を回動させた状態を示す斜視図である。
【図３】窓部を回動させた状態を示す斜視図である。
【図４】窓部及び遊技盤を支持部材に取り付ける際の状態を示す斜視図である。
【図５】ガラス枠ユニットを回動させた状態を示す斜視図である。
【図６】第１上部軸受け、第２上部軸受け、及び第４上部軸受けを示す斜視図である。
【図７】第１上部軸受けの分解斜視図である。
【図８】第１上部軸が第１上部軸受け、及び第２上部軸が第２上部軸受けで軸着された状態を示す下方からの正面図である。
【図９】第１上部軸受けに第１上部軸を軸着させる際の第１上部軸受けの状態、及び第２上部軸受けに第２上部軸を軸着させる際の第２上部軸受けの状態を示す下方からの正面図である。
【図１０】第１上部軸受けに第１上部軸を軸着させる途中の第１上部軸受けの状態、及び第２上部軸受けに第２上部軸を軸着させる途中の第２上部軸受けの状態を示す下方からの正面図である。
【図１１】パチンコ機を組み立てた状態での各軸の配置を示す断面図である。
【図１２】遊技盤を、図４に示す支持部材とは異なる形態の支持部材に取り付ける際の状態を示す斜視図である。
【図１３】遊技盤内部に組み込まれている突起を示す断面図である。
【符号の説明】
【００６７】
１０    パチンコ機（弾球遊技機）
１１    外枠
１１ａ    第４下部軸
１２    本体基部
１２ｅ    第４下部軸取り付け孔
１２ｆ    第２下部軸取り付け孔（第２軸受け）
１２ｇ    遊技盤取り付け枠（遊技盤取り付け部）
１３    遊技盤
１３ａ    遊技領域
１３ｂ    挿通孔（遊技盤固定用孔部）
１３ｃ    挿通孔（回動扉固定用孔部）
１４    ガラス枠ユニット
１５    第４上部軸受け
１６    第２上部軸受け（第２軸受け）
１６ａ    第４上部軸
３０、７０    支持部材
３１    窓部（回動扉）
３１ｃ    第３下部軸取り付け孔（第３軸受け）
３３ａ    挿通孔（支持部材固定用孔部）
３４    第３上部軸受け（第３軸受け）
３５    第２上部軸（第２軸）
３６    第３下部軸（第３軸）
３７    第２下部軸（第２軸）
３８    第１上部軸受け（第１軸受け）
３９    第１下部軸受け（第１軸受け）
４０    第３上部軸（第３軸）
４１    第１上部軸（第１軸）
４２    第１下部軸（第１軸）
４５    第１固定部材（遊技盤固定用係止部材）（遊技盤固定手段）
４６    第３固定部材（回動扉固定用係止部材）（回動扉固定手段）
６０    第２固定部材（支持部材固定用係止部材）（支持部材固定手段）
【図１】
2008212756.tif 000003
【図２】
2008212756.tif 000004
【図３】
2008212756.tif 000005
【図４】
2008212756.tif 000006
【図５】
2008212756.tif 000007
【図６】
2008212756.tif 000008
【図７】
2008212756.tif 000009
【図８】
2008212756.tif 000010
【図９】
2008212756.tif 000011
【図１０】
2008212756.tif 000012
【図１１】
2008212756.tif 000013
【図１２】
2008212756.tif 000014
【図１３】
2008212756.tif 000015